【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
シラン／シラノール／シロキサン／ポリシロキサンを含む水性組成物で金属表面をコーティングする方法であって、
ａ）シラン、シラノール、シロキサン、およびポリシロキサンから選択された少なくとも１つの化合物ａ）、その際、前記組成物は、対応するシラノールに基づいて計算し、０．０２ｇ／ｌから１ｇ／ｌの範囲の化合物ａ）の含有量を有する、
ｂ）チタン、ハフニウム、ジルコニウム、アルミニウム、および／またはホウ素を含む少なくとも１つの化合物ｂ）、そのうち少なくとも１つが、錯フッ化物であり、その際、前記組成物は、対応する金属の合計として計算し、０．１ｇ／ｌから５ｇ／ｌの範囲の化合物ｂ）の含有量を有する、および
ｃ）元素周期表のランタニドを含めて第１から３と５から８副族、および第２主族の金属のカチオンから選択された少なくとも１つのタイプのカチオン、ならびに／あるいは少なくとも１つの対応する化合物、その際、前記組成物は、対応する金属の合計として計算し、０．０１ｇ／１から６ｇ／１の範囲のカチオンおよび／または対応する化合物ｃ）の含有量を有する
に加えて、前記組成物が、
ｄ1）少なくとも１つのアミノ、尿素、および／またはイミノ基を各場合に有するケイ素を含まない化合物と、
ｄ4）リン含有化合物、少なくとも１つのリン酸塩のアニオン、および／または少なくとも１つのホスホン酸塩のアニオンとから選択された少なくとも１つの物質ｄ）、ならびに、
ｅ）水と、
ｆ）任意でまた少なくとも１つの有機溶媒、少なくとも１つの触媒および／または少なくとも１つのｐＨに影響を与える化合物とを含有することを特徴とする方法。
【請求項２】
前記組成物のｐＨが、１．５より大きく、かつ９より小さいことを特徴とする、請求項１に記載の方法。
【請求項３】
前記組成物が、対応するシラノールに基づいて計算し、０．００５ｇ／ｌから８０ｇ／ｌの範囲のシラン／シラノール／シロキサン／ポリシロキサンａ）の含有量を有することを特徴とする、請求項１または２に記載の方法。
【請求項４】
前記組成物が、少なくとも１つのアミノ基、尿素基、および／またはイミノ基を各場合に有する少なくとも１つのシランおよび／または対応するシラノール／シロキサン／ポリシロキサンを含むことを特徴とする、請求項１から３までのいずれか１項に記載の方法。
【請求項５】
前記組成物が、少なくとも１つの錯フッ化物を含み、錯フッ化物の含有量が、ＭｅＦ6として計算した対応する金属錯フッ化物の合計として計算し、０．０１ｇ／ｌから１０ｇ／ｌの範囲にあることを特徴とする、請求項１に記載の方法。
【請求項６】
前記組成物が、セリウム、クロム、鉄、カルシウム、コバルト、銅、マグネシウム、マンガン、モリブデン、ニッケル、ニオブ、タンタル、イットリウム、亜鉛、錫、および他のランタニドのカチオンから選択された少なくとも１つのタイプのカチオンｃ）を含むことを特徴とする、請求項１から５までのいずれか１項に記載の方法。
【請求項７】
前記組成物が、対応する化合物の合計として計算し、０．０１ｇ／ｌから１００ｇ／ｌの範囲のすべてのタイプの物質ｄ）の含有量を有することを特徴とする、請求項１から６までのいずれか１項に記載の方法。
【請求項８】
前記組成物が、対応する化合物の合計として計算し、０．０１ｇ／ｌから３０ｇ／ｌの範囲のすべてのタイプの物質ｄ1）‐少なくとも１つのアミノ、尿素、および／またはイミノ基を各場合に有するケイ素を含まない化合物‐の含有量を有することを特徴とする、請求項１から７までのいずれか１項に記載の方法。
【請求項９】
前記組成物が、リン含有化合物の合計として計算し、０．０１ｇ／ｌから２０ｇ／ｌの範囲のすべてのタイプのリン含有化合物ｄ4）の含有量を有することを特徴とする、請求項１から８までのいずれか１項に記載の方法。
【請求項１０】
前記組成物が、Ｆ-として計算し、０．００１ｇ／ｌから３ｇ／ｌの範囲の遊離フッ化物の含有量を有することを特徴とする、請求項１から９までのいずれか１項に記載の方法。
【請求項１１】
前記組成物が、カルボン酸イオンから選択された少なくとも１つのタイプのアニオン、および／または少なくとも１つの対応する解離していないおよび／または部分的にのみ解離した化合物を含むことを特徴とする、請求項１から１０までのいずれか１項に記載の方法。
【請求項１２】
前記組成物が硝酸塩を含むことを特徴とする、請求項１から１１までのいずれか１項に記載の方法。
【請求項１３】
前記組成物が、アルカリ金属イオンおよびアンモニウムイオンから選択された少なくとも１つのタイプのカチオン、ならびに／あるいは少なくとも１つの対応する化合物を含むことを特徴とする、請求項１から１２までのいずれか１項に記載の方法。
【請求項１４】
前記組成物が、少なくとも１つのフッ化物含有化合物および／またはフッ化物アニオンを含むことを特徴とする、請求項１から１３までのいずれか１項に記載の方法。
【請求項１５】
前記組成物が、アルコキシド、炭酸塩、キレート、界面活性剤、および添加剤、例えば殺生物剤および／または消泡剤から選択された少なくとも１つの化合物を含むことを特徴とする、請求項１から１４までのいずれか１項に記載の方法。
【請求項１６】
異なる金属材料の混合物が、同じ浴において水性コーティングでコーティングされることを特徴とする、請求項１から１５までのいずれか１項に記載の方法。
【請求項１７】
前記組成物が、チタンとして計算し、チタンおよび／またはジルコニウムのみに基づいて１ｍｇ／ｍ2から２００ｍｇ／ｍ2の範囲のコーティングを形成することを特徴とする、請求項１から１６までのいずれか１項に記載の方法。
【請求項１８】
前記組成物が、対応する広範囲に凝縮したポリシロキサンとして計算し、シロキサン／ポリシロキサンのみに基づいて０．２ｍｇ／ｍ2から１０００ｍｇ／ｍ2の範囲の層質量を有するコーティングを形成することを特徴とする、請求項１から１７までのいずれか１項に記載の方法。
【請求項１９】
前記水性組成物で製造された前記コーティングが、次いで、少なくとも１つのプライマ、ラッカー、もしくは接着剤、および／またはラッカー状有機組成物でコーティングされ、任意でこれらの他のコーティングの少なくとも１つが、加熱および／または照射によって硬化することを特徴とする、請求項１から１８までのいずれか１項に記載の方法。
【請求項２０】
金属表面をコーティングするための水性組成物であって、
ａ）シラン、シラノール、シロキサン、およびポリシロキサンから選択された少なくとも１つの化合物ａ）、その際、前記組成物は、対応するシラノールに基づいて計算し、０．０２ｇ／ｌから１ｇ／ｌの範囲の化合物ａ）の含有量を有する、
ｂ）チタン、ハフニウム、ジルコニウム、アルミニウム、および／またはホウ素を含む少なくとも１つの化合物ｂ）、そのうち少なくとも１つが、錯フッ化物であり、その際、前記組成物は、対応する金属の合計として計算し、０．１ｇ／ｌから５ｇ／ｌの範囲の化合物ｂ）の含有量を有する、および
ｃ）元素周期表のランタニドを含めて第１から３と５から８副族、および第２主族の金属のカチオンから選択された少なくとも１つのタイプのカチオン、ならびに／あるいは少なくとも１つの対応する化合物、その際、前記組成物は、対応する金属の合計として計算し、０．０１ｇ／１から６ｇ／１の範囲のカチオンおよび／または対応する化合物ｃ）の含有量を有する
に加えて、前記組成物が、
ｄ1）少なくとも１つのアミノ、尿素、および／またはイミノ基を各場合に有するケイ素を含まない化合物と、
ｄ4）リン含有化合物、少なくとも１つのリン酸塩のアニオン、および／または少なくとも１つのホスホン酸塩のアニオンとから選択された少なくとも１つの物質ｄ）、ならびに、
ｅ）水と、
ｆ）任意でまた少なくとも１つの有機溶媒、少なくとも１つの触媒および／または少なくとも１つのｐＨに影響とを与える化合物とを含有することを特徴とする水性組成物。
【請求項２１】
自動車産業、鉄道車両、航空産業及び宇宙産業、装置工学、機械工学、建築産業、家具産業、衝突用フェンス、灯、異形材、外壁、または建具金物の製造、車体または本体部品、個々の構成要素または事前に組み立てられた／接続された要素の製造、好ましくは自動車産業または航空産業、あるいは機器または設備、特に家庭用機器、制御装置、試験装置、または構造要素の製造についての請求項１から１９までのいずれか１項による方法によってコーティングされた金属基体の使用。